(57)【特許請求の範囲】
【請求項１】
鉄筋（１、２）に物（Ｌ、Ａ）を固定するダブルクリップ（１１）を有する固定構造であって、
上記ダブルクリップ（１１）は、前記物（Ｌ、Ａ）が取り付けられて、弾性薄板を断面三角形状に折り曲げることによって背板（１４）とその背板（１４）の両端縁からそれぞれ延設される一対の対向する挟持板（１５ａ、１５ｂ）とが形成され、その挟持板（１５ａ、１５ｂ）のそれぞれに軸受け部（１６ａ）と先端縁挟持部（１６）とが設けられたクリップ本体（１７）と、金属線を略Ｕ字形状に折り曲げ、さらにその両先端部を幅方向に折り曲げることによって摘み部（１８ａ）とアーム部（１８ｂ）と回動軸部（１８ｃ）とが形成された対の開閉レバー（１８）と、から成って、前記クリップ本体（１７）側の軸受け部（１６ａ）に開閉レバー（１８）側の回動軸部（１８ｃ）が回動自在に差し込まれたものであり、
このダブルクリップの対の挟持板（１５ａ、１５ｂ）に上記鉄筋（１、２）が貫通する孔（１９ａ、１９ｂ）がそれぞれ形成されて、その対の挟持板（１５ａ、１５ｂ）が閉じようとする力によって前記貫通孔（１９ａ、１９ｂ）の周縁が前記鉄筋（１、２）に接してダブルクリップ（１１）が鉄筋（１、２）に固定されることを特徴とする鉄筋への物の固定構造。
【請求項２】
請求項１に記載の鉄筋が縦筋（１）に設けた横方向の支持杆（２）、請求項１に記載の物が前記支持杆（２）に取り付けられる止水板（Ａ）であり、前記止水板（Ａ）を前記支持杆（２）に吊り下げ支持する請求項１に記載の鉄筋への物の固定構造をなす止水板吊り下げ具（１０）であって、
上記止水板（Ａ）の上縁を挟持する一方のダブルクリップ（１２）と、上記支持杆（２）に取り付けられる請求項１記載のダブルクリップをなす他方のダブルクリップ（１１）と、両ダブルクリップ（１１、１２）を連結する連結杆（１３）とから成って、前記両ダブルクリップ（１１、１２）は請求項１記載のダブルクリップの構成とし、
他方のダブルクリップ（１１）の対の挟持板（１５ａ、１５ｂ）に上記支持杆（２）が貫通し、その対の挟持板（１５ａ、１５ｂ）が閉じようとする力によって前記貫通孔（１９ａ、１９ｂ）の周縁が前記支持杆（２）に接して他方のダブルクリップ（１１）が支持杆（２）に固定されることを特徴とする止水板吊り下げ具。
【請求項３】
上記ダブルクリップ（１１）の対の挟持板（１５ａ、１５ｂ）の一方の挟持板（１５ａ）に、その開放縁から外側に延びた後、上記背板（１４）側に向かい曲がって延びる支持板（２０）を設け、その支持板（２０）に前記一方の挟持板（１５ａ）の貫通孔（１９ａ）と同一軸上の同一大きさの貫通孔（２１）を形成し、その両貫通孔（１９ａ、２１）を上記鉄筋の太さと同一の大きさとしたことを特徴とする請求項１に記載の鉄筋への物の固定構造。
【請求項４】
上記他方のダブルクリップ（１１）の対の挟持板（１５ａ、１５ｂ）の一方の挟持板（１５ａ）に、その開放縁から外側に延びた後、上記背板（１４）側に向かい曲がって延びる支持板（２０）を設け、その支持板（２０）に前記一方の挟持板（１５ａ）の貫通孔（１９ａ）と同一軸上の同一大きさの貫通孔（２１）を形成し、その両貫通孔（１９ａ、２１）を上記支持杆（２）の太さと同一の大きさとしたことを特徴とする請求項２に記載の止水板吊り下げ具。
【請求項５】
上記対の開閉レバー（１８）の一方が上記連結杆（１３）によって兼用されていることを特徴とする請求項２又は４に記載の止水板吊り下げ具。
【発明の詳細な説明】
【技術分野】
【０００１】
この発明は、コンクリート構造物を構築する際、そのコンクリートの打ち継ぎ部に介在して埋設する止水板をコンクリートの打設前に吊り下げて支持する止水板吊り下げ具等の鉄筋への物の固定構造に関するものである。
【背景技術】
【０００２】
棒材に物を固定する場合、その固定構造として種々の手段が必要である。例えば、鉄筋コンクリート建造物等のコンクリート構造物は、まず、対の枠板を並行に配設してコンクリート型枠を形成し、つぎに、この型枠内にコンクリートを打設することによって構築される（特許文献１第１図参照）。この構築時において、コンクリートを上方に重畳的に打設する際、例えば、図１１に示すように、そのコンクリートＣの打ち継ぎ部に止水板Ａを埋設し、その止水板Ａによって、打ち継ぎ部の界面に水が浸入して通り抜けることを防止する。この止水板Ａは、コンクリートＣの打設前では所要位置に支持固定する必要がある。
【０００３】
その支持固定用止水板吊り下げ具として、図１１に示すように、従来から、両側縦筋１、１の間に横架材２を架設し、その横架材２に設けるものがある。
この止水板吊り下げ具３０は、片状本体３１の上端部を上記横架材２に挿通してナット３２によって所要位置に取付け、同下端部に逆Ｕ字状の把持部３３を設け、その把持部３３に止水板Ａの上縁を入れて蝶ボルト３４を把持部３３にねじ込んで支持固定するものである。この止水板吊り下げ具３０を止水板Ａの長さ方向（図１１において、前後斜め方向）の所要間隔に設けて、打ち継ぎ部の界面の全長に亘って止水板Ａを支持固定する（特許文献１第１図〜第５図参照）。
【先行技術文献】
【特許文献】
【０００４】
【特許文献１】実開昭６１−１０８７５８号公報
【特許文献２】特開平９−８６０８６号公報
【発明の概要】
【発明が解決しようとする課題】
【０００５】
上記の従来の止水板吊り下げ具３０は、横架材２への取付がナット３２のねじ込みである上に、止水板Ａの支持固定も蝶ボルト３４のねじ込みである。このナット３２や蝶ボルト３４のねじ回しは煩わしく、作業性の低下を招いて時間を要している。
【０００６】
この発明は、上記実状の下、止水板Ａを容易に吊り下げ支持し得る止水板吊り下げ具等の鉄筋への物の固定構造を提供することを課題とする。
【課題を解決するための手段】
【０００７】
上記課題を達成するため、この発明は、簡単な動作で物を掴み得るダブルクリップによって、鉄筋へ物を固定するようにしたのである。
すなわち、まず、ダブルクリップは、特許文献２等に示されるように、従来から存在する周知のものであって、弾性薄板を断面三角形状に折り曲げることによって背板とその背板の両端縁からそれぞれ延設される一対の対向する挟持板とが形成され、その挟持板のそれぞれに軸受け部と先端縁挟持部とが設けられたクリップ本体と、金属線を略Ｕ字形状に折り曲げ、さらにその両先端部を幅方向外向きに折り曲げることによって摘み部とアーム部と回動軸部とが形成された開閉レバーとから成り、クリップ本体側の軸受け部に開閉レバー側の回動軸部が回動自在に差し込まれた構成が一般的である。
このダブルクリップは、対の開閉レバーを起立させて近づける（把持する）ことによって対の挟持板が開放し（先端縁挟持部が開き）、その開放口から物の一部をクリップ本体内に入れ、対の開閉レバーの把持を開放すると、対の挟持板が閉じて前記物の一部を挟持するものであり、その操作が一般的で容易である。
このため、ダブルクリップに物を取り付ければ、そのダブルクリップを介して鉄筋にその物を簡単に固定し得る。
【０００８】
つぎに、この発明は、そのダブルクリップの対の挟持板に鉄筋が貫通する孔をそれぞれ形成して、その対の挟持板が閉じようとする力によって前記貫通孔の周縁が前記鉄筋に接してダブルクリップが鉄筋に固定されるようにしたのである。
この作用は、鉄筋の長さ方向の任意の位置において行うことができて、その固定操作も容易である。このため、ダブルクリップを介してそのダブルクリックに取り付けた物を鉄筋の任意の位置に簡単に固定することができる。
【０００９】
この発明に係る鉄筋への物の固定構造の構成としては、鉄筋に物を固定するダブルクリップを有する構造であって、前記ダブルクリップは、前記物が取り付けられて、弾性薄板を断面三角形状に折り曲げることによって背板とその背板の両端縁からそれぞれ延設される一対の対向する挟持板とが形成され、その挟持板のそれぞれに軸受け部と先端縁挟持部とが設けられたクリップ本体と、金属線を略Ｕ字形状に折り曲げ、さらにその両先端部を幅方向に折り曲げることによって摘み部とアーム部と回動軸部とが形成された対の開閉レバーと、から成って、前記クリップ本体側の軸受け部に開閉レバー側の回動軸部が回動自在に差し込まれたものであり、このダブルクリップの対の挟持板に鉄筋が貫通する孔がそれぞれ形成されて、その対の挟持板が閉じようとする力によって前記貫通孔の周縁が前記鉄筋に接してダブルクリップが鉄筋に固定される構成を採用することができる。
【００１０】
この構成の具体的な構成としては、上記鉄筋が縦筋に設けた横方向の支持杆とするとともに、上記物がその支持杆に取り付けられる止水板とし、前記止水板を前記支持杆に吊り下げ支持する上記鉄筋への物の固定構造をなす止水板吊り下げ具であって、前記止水板の上縁を挟持する一方のダブルクリップと、前記支持杆に取り付けられる他方のダブルクリップと、両ダブルクリップを連結する連結杆とから成って、前記両ダブルクリップは上記載のダブルクリップの構成とし、他方のダブルクリップの対の挟持板に前記支持杆が貫通する孔がそれぞれ形成されて、その対の挟持板が閉じようとする力によって前記貫通孔の周縁が前記支持杆に接して他方のダブルクリップが支持杆に固定される構成を採用することができる。
この構成であると、支持杆となる上記横架材２へのダブルクリップの取付作業及び止水板Ａを掴んで支持する作業も極めて容易である。
【００１１】
上記各構成において、他方のダブルクリップの対の挟持板の一方の挟持板に、その開放縁から外側に延びた後、上記背板側に向かい曲がって延びる支持板を設け、その支持板に前記一方の挟持板の貫通孔と同一軸上の同一大きさの貫通孔を形成し、その両貫通孔を上記支持杆（鉄筋）の太さと同一の大きさとした構成とすることができる。
このように構成すると、支持杆（鉄筋）が貫通した一方の挟持板と支持板によってダブルクリップの支持杆（鉄筋）に対する位置が固定されるため、そのダブルクリップが支持杆（鉄筋）に対して傾き難く、両ダブルクリップの連結杆も垂直方向に対して傾き難く、止水板等の物を安定して支持することができる。
ダブルクリップは、一般的なもののように対の開閉レバーを有するものであってもよいが、その一方が連結杆によって兼用されている構成とすれれば、部品点数も減少し、構造的にもスマートになって安価にもなる。
【発明の効果】
【００１２】
この発明は、以上のようにダブルクリップによって、横架材２及び止水板Ａを掴んで支持する等としたので、止水板等の吊り下げ支持作業等が簡単である。
【図面の簡単な説明】
【００１３】
【図１】この発明に係る止水板を鉄筋に取り付ける態様の一実施形態の使用状態を示す概略斜視図
【図２】同実施形態の斜視図
【図３】（ａ）、（ｂ）は同実施形態の側面図又は正面図
【図４】同実施形態の作用説明用断面図
【図５】他の各実施形態の部分断面図
【図６】この発明に係るレベルプレートを鉄筋に取り付ける態様の一実施形態の斜視図
【図７】同実施形態の使用状態を示す概略斜視図
【図８】同実施形態の他例の作用説明用断面図
【図９】同他の実施形態の斜視図
【図１０】同実施形態の作用説明用断面図
【図１１】従来の止水板吊り下げ具を示し、（ａ）は使用状態を示す概略斜視図、（ｂ）は同要部正面図
【発明を実施するための形態】
【００１４】
この発明に係る一実施形態である止水板吊り下げ具を図１〜図４に示し、この止水板吊り下げ具１０は、従来と同様に、異形鉄筋等からなる構造用縦筋１に同じく異形鉄筋等からなる横方向の非構造用支持杆（上記鉄筋製横架材）２を番線で括り付ける等によって設け、その支持杆２に取り付けて止水板Ａを吊り下げ支持するものであり、止水板Ａの上縁を挟持する一方のダブルクリップ１２と、前記支持杆２に取り付けられる他方のダブルクリップ１１と、両ダブルクリップ１１、１２を連結する連結杆１３とから成る。止水板Ａは、従来と同様に、ゴム、塩化ビニル、薄鋼板等からなり、その断面形状は従来と同様などと任意である。
【００１５】
上下のクリップ１１、１２は、同一基本形状であって、弾性薄板を断面三角形状に折り曲げることによって背板１４とその背板１４の両端縁からそれぞれ延設される一対の対向する挟持板１５ａ、１５ｂ（総称符号１５）とが形成され、その挟持板１５のそれぞれに軸受け部１６ａを有する先端縁挟持部１６とが設けられたクリップ本体１７と、金属線を略Ｕ字形状に折り曲げ、さらにその両先端部を幅方向外向きに折り曲げることによって摘み部１８ａとアーム部１８ｂと回動軸部１８ｃとが形成された開閉レバー１８とから成る。
【００１６】
上記連結杆１３は、弾性薄板の打ち抜きや金属線等によって形成され、Ｈ字状をして両クリップ１１、１２の一方の開閉レバーを兼ねており、その端は、同様に、アーム部１３ｂと回動軸部１３ｃとが形成されている。そのＨ字状アーム部１３ｂを中程を適宜に屈曲させることによって（く字状とすることによって）、下記の止水板Ａを吊り下げた際、上下のクリップ１１、１２がほぼ同一鉛直線上に位置するようにすることができる。
この連結杆１３の回動軸部１３ｃと上記開閉レバー１８の回動軸部１８ｃをクリップ本体１７の軸受け部１６ａに差し込んで、クリップ本体１７に対し連結杆１３及び開閉レバー１３が起伏自在となっている。開閉レバー１８及び連結杆１３の回転軸部１８ｃ、１３ｃは幅方向内向きに折り曲げたものとし得る。
【００１７】
上側の支持杆２に取り付けられるクリップ１１の対の挟持板１５に支持杆２が貫通する孔１９ａ、１９ｂがそれぞれ形成されている。また、このクリップ１１の一方の挟持板１５ａに、その開放縁から外側に延びた後、背板１４側に向かい曲がって延びる支持板２０が同一材を折り曲げることによって設けられており、その支持板２０にも支持杆２が貫通する孔２１が形成されている。
上記一方の挟持板１５ａと支持板２０の貫通孔１９ａ、２１は、支持板２０の断面形状より少し大きい同一形状とされており、この両貫通孔１９ａ、２１に支持杆２を貫通すると、その両貫通孔１９ａ、２１を介し、クリップ１１が支持杆２に対して位置決めされる。すなわち、図４（ｂ）に示すように、一方の挟持板１５ａ及び連結杆１３が支持杆２に対してほぼ垂直に固定される。
【００１８】
他方の挟持板１５ｂの貫通孔１９ｂは上下に長い楕円形状とされており、支持杆２を貫通させた状態において、この貫通孔１９ｂを介して他方の挟持板１５ｂが一方の挟持板１５ａに向かって弾性薄板の弾力によって移動可能となっている。このため、図４（ａ）に示すように、一方の挟持板１５ａ及び連結杆１３のその貫通孔１９ａ、２１を介し支持杆２を差し込み、さらに、同（ｂ）に示すように、開閉レバー１８及び連結杆１３でもって両挟持板１５ａ、１５ｂを開いて支持杆２を他方の挟持板１５ｂにその貫通孔１９ｂを介して差し込み、両挟持板１５ａ、１５ｂを閉じると、一方の挟持板１５ａ及び連結杆１３が支持杆２に対してほぼ垂直に固定された状態で、他方の挟持板１５ｂが支持杆２上を移動し、やがて貫通孔１９ｂの内周上下縁に当接し、その当接によって他方の挟持板１５ｂの移動が阻止されて、クリップ１１が支持杆２に固定される。貫通孔１９ｂの上下方向の長さは、両挟持板１５ａ、１５ｂを閉じた際、その貫通孔１９ｂの内周上下縁に当接し、その当接によって他方の挟持板１５ｂの移動が阻止されるように実験等によって適宜に設定する。
【００１９】
この実施形態の止水板吊り下げ具１０は以上の構成であり、つぎにその作用について説明すると、まず、支持杆２の縦筋１への設置時、この止水板吊り下げ具１０を各貫通孔１９ａ、１９ｂ、２１を介して止水板Ａの設置上方位置の支持杆２に差し込む。この差し込み（設置）状態において、この止水板吊り下げ具１０によって止水板Ａを吊り下げる。
【００２０】
その吊り下げは、まず、下側のクリップ１２の両挟持板１５ａ、１５ｂを開き、止水板Ａの上縁を両挟持板１５ａ、１５ｂ内に入れて摘んで支持する。つぎに、上側のクリップ１１の両挟持板１５ａ、１５ｂを開いて、そのクリップ１１を連結杆１３が止水板Ａのほぼ鉛直線上になるように移動させた後、その両挟持板１５ａ、１５ｂを閉じる。すると、そのクリップ１１の一方の挟持板１５ａ及び連結杆１３が支持杆２に対してほぼ垂直に固定された状態で、他方の挟持板１５ｂが支持杆２上を移動し、やがて貫通孔１９ｂの内周上縁に当接し、その当接によって他方の挟持板１５ｂの移動が阻止されて、クリップ１１が支持杆２に固定される。すなわち、止水板Ａは、この止水板吊り下げ具１０によってその鉛直方向に吊り下げ支持される。この状態において、コンクリートＣを打設する。
【００２１】
そのコンクリートＣの打設は、従来と同様に、まず、図１に示す、止水板Ａの中程高さ（コンクリート打ち継ぎ部）まで行って水平部を形成した後、型枠を上方に継ぎ足す、又は組み立てて、その水平部の上のコンクリート打ち継ぎ部の位置に、上記の止水板吊り下げ具１０によって止水板Ａを吊り下げ支持してある（取り付けてある）、その型枠間にさらにコンクリートＣを打設して垂直部を形成する。
【００２２】
なお、図５に示すように、支持板２０は省略し得る。この止水板吊り下げ具１０’にあっては、支持杆２へのクリップ１１の固定時、一方の挟持板１５ｂの貫通孔１９ａの内周縁と支持杆２との摩擦によってクリップ１１（連結杆１３）の鉛直状態を維持しようとするため、他方の挟持板１５ｂの移動によって、クリップ１１が支持杆２に対して傾く恐れがあるが、その傾きは止水板Ａの吊り下げ支持には余り影響はない。
【００２３】
上記実施形態においては、連結杆１３によって一方の開閉レバー１８を兼用したが、邪魔にならない限りにおいて、一般のダブルクリップと同様に対の開閉レバー１８を有するものとすることができる。この場合、転結杆１３の端はクリップ本体１７の挟持片１５に溶接等によって固定する。
【００２４】
上記実施形態は、止水板Ａを支持杆２に取り付ける態様であったが、この発明は、物を鉄筋に固定する（取り付ける）種々の構造に採用できる。
例えば、上記コンクリートＣの打設において、水平部、垂直部等とコンクリートを上方に重畳的に打設する際、その打設上面位置を示すレベルプレートの鉄筋への取付（固定）構造に採用できる。
そのレベルプレートを縦筋１に取り付ける構造は、図６〜図１０に示すように、上記他方のダブルクリック１１において、支持板２０をさらに延ばしてその延長部をレベルプレートＬとする。
【００２５】
このレベルプレートＬ付ダブルクリック１１は、図７、図８に示すように、両挟持板１５ａ、１５ｂを開いて、そのクリップ１１を縦筋１に貫通孔１９ａ、１９ｂを介して貫通してコンクリートＣを打設する上限位置まで移動させた後、その両挟持板１５ａ、１５ｂを閉じる。すると、上記と同様に、その対の挟持板１５ａ、１５ｂが閉じようとする力によって前記貫通孔１９ａ，１９ｂの周縁が前記縦筋１に接してダブルクリップ１１が縦筋１に固定されて、レベルプレートＬが縦筋１に固定される。
【００２６】
このとき、図８に示すように、レベルプレートＬを有する支持板２０の貫通孔２１を縦筋１の径と程同一とすれば、上記のように、レベルプレートＬを縦筋１に対して直角に位置させることができる。
しかし、図６、図７に示すように、同貫通孔２１’が縦筋１の径より大きくても、上記のように、縦筋１へのクリップ１１の固定時、一方の挟持板１５ｂの貫通孔１９ａの内周縁と縦筋１との摩擦によってクリップ１１の水平状態を維持しようとするため、他方の挟持板１５ｂの移動によって、クリップ１１が縦筋１に対して傾く恐れがあるが、その傾きはレベルプレートＬの高さが変動する程の傾きではない。
【００２７】
レベルプレートＬは、図９、図１０に示すように、開閉レバー１８の側に延ばす態様とすることもできる。
また、図１に示す実施形態において、下方のダブルクリップ１２に代えて、洗濯ばさみ形状の把持具としたり、図１１に示す把持部３３の構造としたりすることができる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２８】
Ａ  止水板
Ｃ  コンクリート
Ｌ  レベルプレート
１  縦筋
２  支持杆（横架材）
１０、１０’  止水板吊り下げ具
１１、１２  止水板吊り下げ具のダブルクリップ
１３  両クリップの連結杆
１４  クリップの背板
１５ａ、１５ｂ  クリップの挟持板
１６  クリップの先端縁挟持部
１６ａ  クリップの軸受け部
１７  クリップ本体
１８  開閉レバー
１８ａ  開閉レバーの掴み部
１８ｂ  開閉レバーのアーム
１８ｃ  開閉レバーの回動軸部
１９ａ、１９ｂ  クリップの挟持板の支持杆貫通孔
２０  支持板
２１  支持板の支持杆貫通孔
【要約】      （修正有）【課題】止水板を容易に吊り下げ支持し得る止水板吊り下げ具を提供する。【解決手段】止水板Ａを挟持する一方のダブルクリップ１２と、支持杆に取り付ける他方のダブルクリップ１１と、両ダブルクリップを連結する連結杆１３とから成る止水板吊り下げ具１０であって、他方のダブルクリップの対の挟持板に支持杆２が貫通する孔が形成され、同一方の挟持板に逆Ｌ字状の支持板を設け、この支持板にも貫通孔が形成されている。その貫通孔は一方の挟持板の貫通孔と同一軸上にあって同一大きさとなっている。下側のクリップのクリップで止水板Ａ上縁を摘んで支持する。上側のクリップは、支持杆２に貫通孔を介し差し込んで閉じると、一方の挟持板及び連結杆１３が支持杆２に対してほぼ垂直に固定された状態で、他方の挟持板が支持杆２上を移動し、貫通孔の内周上縁に当接しその挟持板の移動が阻止されて、クリップ１１が支持杆２に固定される。【選択図】図１【図１】
0005848430.tif 000002
【図２】
0005848430.tif 000003
【図３】
0005848430.tif 000004
【図４】
0005848430.tif 000005
【図５】
0005848430.tif 000006
【図６】
0005848430.tif 000007
【図７】
0005848430.tif 000008
【図８】
0005848430.tif 000009
【図９】
0005848430.tif 000010
【図１０】
0005848430.tif 000011
【図１１】
0005848430.tif 000012